(57)【要約】鋸歯状の波形を用いる波動提供装身具を開示する。前記鋸歯状の波形を用いる波動提供装身具は、鋸歯状の波長を有する微細電流を生成する刺激発生器；金属類のプレート又はハウジングの形態に備えられ、一面に前記刺激発生器が固定され、前記刺激発生器と電気的に連結されることによって、前記刺激発生器で生成された微細電流が印加され、前記プレートの一面又はハウジングの外面に装飾用模様が刻印されている第１装飾部材；及び手首、首及び足首のうちいずれか一つに着用可能な金属類のリング状に備えられ、前記第１装飾部材に印加された微細電流が印加されるように前記第１装飾部材に連結され、印加された微細電流を前記第１装飾部材と共に人体に伝達する着用部材；を含むことを特徴とする。
2020515376.tif 000002
【特許請求の範囲】
【請求項１】
鋸歯状の波長を有する微細電流を生成する刺激発生器（１１０、２１０）；
金属類のプレート又はハウジングの形態に備えられ、一面に前記刺激発生器（１１０、２１０）が固定され、前記刺激発生器（１１０、２１０）と電気的に連結されることによって、前記刺激発生器（１１０、２１０）で生成された微細電流が印加され、前記プレートの一面又はハウジングの外面に装飾用模様が刻印されている第１装飾部材（１２０、２２０）；及び
手首、首及び足首のうちいずれか一つに着用可能な金属類のリング状に備えられ、前記第１装飾部材（１２０、２２０）に印加された微細電流が印加されるように前記第１装飾部材（１２０、２１０）に連結され、印加された微細電流を前記第１装飾部材（１２０、２２０）と共に人体に伝達する着用部材（１３０、２３０）；を含むことを特徴とする、鋸歯状の波形を用いる波動提供装身具。
【請求項２】
電気伝導性繊維からなり、前記電気伝導性繊維を加工し、手首、首及び足首のうちいずれか一つに着用可能なリング状に備えられ、前記第１装飾部材（２２０）の一側に連結されることによって、前記刺激発生器（２１０）から前記第１装飾部材（２２０）に印加された微細電流が印加される繊維リング（２４０）；
前記繊維リング（２４０）を取り囲んでおり、非伝導性の樹脂材質であり、表面に蛍光物質が塗布されている第２装飾部材（２５０）；及び
柱状であり、前記柱状の一端部は前記繊維リング（２４０）の面に接し、他端部は、前記第２装飾部材（２５０）を貫通して前記第２装飾部材（２５０）の外部に露出し、露出した端部を介して前記人体に追加的な微細電流を伝達する複数の電流伝達部材（２６０）；をさらに含むことを特徴とする、請求項１に記載の鋸歯状の波形を用いる波動提供装身具。
【請求項３】
前記蛍光物質は、前記第２装飾部材（２５０）の外面で所定の模様を形成するように前記第２装飾部材（２５０）の表面に塗布されることを特徴とする、請求項２に記載の鋸歯状の波形を用いる波動提供装身具。
【発明の詳細な説明】
【技術分野】
【０００１】
本発明は、装身具に関し、より詳細には、健康増進効果を有する鋸歯状の波形を用いる波動提供装身具に関する。
【背景技術】
【０００２】
最近、豊かな物質文明を背景にして健康に対する関心が漸次高まっている。また、食生活文化の変化及び運動不足による各種成人病の発生と共に、健康に対する関心がさらに高まっており、その結果、多様な機能及び種類の美容関連機器が開発されて広く使用されている。電気治療器もその一つである。
【０００３】
電気治療とは、直流電流、交流電流、脈動電流などの電気を用いて疾病を診断・治療する医科学の一つの分野であると定義することができる。
【０００４】
電気治療の種類としては、医療直流電気療法（ｍｅｄｉｃａｌ  ｇａｌｖａｎｉｓｍ）、イオン導入法（ｉｏｎｔｏｐｏｒｅｓｉｓ）、電気刺激治療（ｅｌｅｃｔｒｉｃａｌ  ｓｔｉｍｕｌａｔｉｏｎ  ｔｈｅｒａｐｈｙ、ＥＳＴ）、経皮的神経電気刺激治療（ｔｒａｎｓｃｕｔａｎｅｏｕｓ  ｅｌｅｃｔｒｉｃａｌ  ｎｅｒｖｅ  ｓｔｉｍｕａｌｔｉｏｎ、ＴＥＮＳ）、機能的電気刺激治療（ＦＥＳ）、干渉電流治療（ｉｎｔｅｒｆｅｒｅｎｔｉａｌ  ｃｕｒｒｅｎｔ  ｔｈｅｒａｐｙ、ＩＣＴ）、短波深部透熱治療（ｓｈｏｒｔｗａｖｅ  ｄｉａｔｈｅｒｍｙ、ＳＷＤ）、極超短波深部透熱治療（ｍｉｃｒｏｗａｖｅ  ｄｉａｔｈｅｒｍｙ、ＭＷＤ）、超音波（ｕｌｔｒａｓｏｕｎｄ）治療などがある。
【０００５】
このような電気治療は、筋骨格系損傷及び疾患、神経系損傷及び疾患、循環系疾患、皮膚疾患、内科疾患、慢性炎症性疾患などを治療する目的で使用されている。
【０００６】
このような電子エネルギーを用いた治療方法は、体の現象及び特性を用いて外部からの電気刺激によって人体に電気的変化を起こし、治療に有益に使用するという最大の長所を有する療法として知られている。
【０００７】
ところが、電気治療は、周波数の波形、電流、電流の強度、適用部位などによってその機能の差が非常に大きい。特に、体に印加するプレートの構造、大きさ、材質、印加時間、施術部位への通電液や関連抗生製剤との配合によってもそれぞれ異なる反応が表れる。
【０００８】
容量性（ｃａｐａｃｉｔｉｖｅ）及び抵抗性（ｒｅｓｉｓｔｉｖｅ）電気伝達療法（ｅｌｅｃｔｒｉｃ  ｔｒａｎｓｆｅｒ）は、様々な生体学的効果をもたらす。すなわち、内部温度を高めると同時に、生体組織の活力と関連した生物学的現象を維持できる血管拡張が起こり得るようにし、このようにして血液循環を促進し、また、栄養及び酸素の供給を改善させ、細胞内呼吸及び毒性分解産物（ｃａｔａｂｏｌｉｎ）の排出を刺激するようになる。
【０００９】
従来の電気治療器は、身体の腰、腹部、足、肩、足裏などの特定部位に電気刺激を加えるための出力装置であって、プラス電極パッド及びマイナス電極パッドを付着させて使用するようになっており、身体に付着した電極パッドに同一の周波数特性を有する規則的な低周波信号を供給し、身体に電気刺激を伝達するように構成されている。
【００１０】
しかし、低周波電流は、被施術者の患部に直接付着したパッチ型電極パッドを介してのみ伝達されるので、電気刺激が伝達される範囲が狭小であり、電気刺激を介した治療効果及びマッサージ効果を期待するには多少不十分であった。また、電極パッドを介して伝達される電気刺激は、被施術者に多少強く伝達されるので、物理的な刺激が被施術者にそのまま伝達されるという問題があった。
【００１１】
また、従来の電気治療器は、携帯が容易でないという問題があった。
【００１２】
一方、装身具に数千ガウス（ｇａｕｓｓ）の永久磁石を埋め込み、磁力による健康増進効果を得るようにした商品と、セラミックコーティング技術を用いて装身具に遠赤外線が放射されるセラミックをコーティングさせ、遠赤外線による人体の新陳代謝を円滑にし、血液循環を促進させ、気力を向上させ、人体の老廃物を除去するようにした商品とがあるが、これらは、効能に比べて高価であるという短所がある。
【００１３】
前記永久磁石の場合、数十秒ごとに全身に流れる血流に磁力線が照射されると、血液中に陰イオンが増加し、自律神経に影響を与えるようになり、結局、内分泌物及び血液循環を促進し、疾病を改善するという図式的理論が誘導され、これが前記治療効果を裏付けると見ている。
【００１４】
特に、永久磁石は、磁力や磁極が合わなかったり、磁気的性質を無分別に用いる場合、却って人体の磁場が撹乱され、健康を害するという問題がある。
【発明の概要】
【発明が解決しようとする課題】
【００１５】
したがって、本発明が解決しようとする課題は、人体に超微細電流を伝達し、最小化された電気刺激のみでもマッサージ効果、血液循環緩和、ストレス緩和などの治療効果及び健康増進効果を発揮できるようにした鋸歯状の波形を用いる波動提供装身具を提供することにある。
【００１６】
本発明の他の目的は、４５ｋｈｚの周波数の最小電流量を使用することによって使用電流量が最小化されるので、刺激発生器の大きさを最小化することができ、これによって刺激発生器が小型化され、小型の装身具に装着が可能であり、身体の一部分に容易に着用することによって、装飾効果、健康増進及び治療効果を発揮できるようにした鋸歯状の波形を用いる波動提供装身具を提供することにある。
【課題を解決するための手段】
【００１７】
上述した課題を解決するための本発明の一実施形態に係る鋸歯状の波形を用いる波動提供装身具は、鋸歯状の波長を有する微細電流を生成する刺激発生器；金属類のプレート又はハウジングの形態に備えられ、一面に前記刺激発生器が固定され、前記刺激発生器と電気的に連結されることによって、前記刺激発生器で生成された微細電流が印加され、前記プレートの一面又はハウジングの外面に装飾用模様が刻印されている第１装飾部材；及び手首、首及び足首のうちいずれか一つに着用可能な金属類のリング状に備えられ、前記装飾部材に印加された微細電流が印加されるように前記装飾部材に連結され、印加された微細電流を前記装飾部材と共に人体に伝達する着用部材；を含むことを特徴とする。
【００１８】
本発明の他の実施形態に係る鋸歯状の波形を用いる波動提供装身具は、電気伝導性繊維からなり、前記電気伝導性繊維を加工し、手首、首及び足首のうちいずれか一つに着用可能なリング状に備えられ、前記第１装飾部材の一側に連結されることによって、前記刺激発生器から前記第１装飾部材に印加された微細電流が印加される繊維リング；前記繊維リングを取り囲んでおり、非伝導性の樹脂材質であり、表面に蛍光物質が塗布されている第２装飾部材；及び柱状であり、前記柱状の一端部は前記繊維リングの面に接し、他端部は、前記第２装飾部材を貫通して前記第２装飾部材の外部に露出し、露出した端部を介して前記人体に追加的な微細電流を伝達する複数の電流伝達部材；をさらに含むことができる。
【００１９】
前記蛍光物質は、前記第２装飾部材の外面で所定の模様を形成するように前記第２装飾部材の表面に塗布され得る。
【発明の効果】
【００２０】
本発明に係る鋸歯状の波形を用いる波動提供装身具によると、人体に超微細電流を伝達し、最小化された電気刺激のみでもマッサージ効果、血液循環緩和、ストレス緩和などの治療効果及び健康増進効果を発揮できるという利点がある。
【００２１】
また、４５ｋｈｚの周波数の最小電流量を使用することによって使用電流量が最小化されるので、刺激発生器の大きさを最小化することができ、これによって刺激発生器が小型化され、小型の装身具に装着が可能であり、身体の一部分に容易に着用することによって、装飾効果、健康増進及び治療効果を発揮できるという利点がある。
【図面の簡単な説明】
【００２２】
【図１】本発明の一実施形態に係る鋸歯状の波形を用いる波動提供装身具の構成を説明するための斜視図である。
【図２】図１に示した刺激発生器を説明するためのブロック図である。
【図３】本発明の他の実施形態に係る鋸歯状の波形を用いる波動提供装身具の構成を説明するための斜視図である。
【図４】本発明の鋸歯状の波形を用いる波動提供装身具の一実施形態を例示する図である。
【図５】本発明の鋸歯状の波形を用いる波動提供装身具の一実施形態を例示する図である。
【発明を実施するための形態】
【００２３】
以下、添付の図面を参照して、本発明の実施形態に係る鋸歯状の波形を用いる波動提供装身具に対して詳細に説明する。本発明は、多様な変更を加えることができ、様々な形態を有し得るので、特定の実施形態を図面に例示し、これについて本文で詳細に説明する。しかし、これは、本発明を特定の開示形態に限定しようとするのではなく、本発明の思想及び技術範囲に含まれる全ての変更、均等物及び代替物を含むものと理解しなければならない。各図面を説明しながら、類似する参照符号を類似する構成要素に対して使用した。添付の図面において、各構造物の寸法は、本発明を明確に説明するために実際の寸法より拡大して示した。
【００２４】
「第１」及び「第２」などの用語は、多様な構成要素を説明するのに使用可能であるが、前記各構成要素は、前記各用語によって限定してはならない。前記各用語は、一つの構成要素を他の構成要素から区別する目的でのみ使用される。例えば、本発明の権利範囲を逸脱しない限り、第１構成要素は第２構成要素と命名され、これと同様に、第２構成要素も第１構成要素と命名され得る。
【００２５】
本出願で使用した用語は、特定の実施例を説明するためにのみ使用されたものであって、本発明を限定しようとするものではない。単数の表現は、文脈上、明白に異なる意味を有していない限り、複数の表現を含む。本出願において、「含む」又は「有する」などの用語は、明細書上に記載した特徴、数字、段階、動作、構成要素、部分品又はこれらの組み合わせが存在することを指定するためのものであって、一つ又はそれ以上の他の特徴、数字、段階、動作、構成要素、部分品又はこれらの組み合わせの存在又は付加可能性を予め排除しないものと理解しなければならない。
【００２６】
異なる形に定義されない限り、技術的又は科学的な用語を含めて、ここで使用される全ての用語は、本発明が属する技術分野で通常の知識を有する者によって一般的に理解される用語と同一の意味を有している。一般的に使用される事前に定義されている各用語は、関連技術の文脈上での意味と一致する意味を有するものと解釈しなければならなく、本出願で明らかに定義しない限り、理想的又は過度に形式的な意味に解釈しない。
【００２７】
図１は、本発明の一実施形態に係る鋸歯状の波形を用いる波動提供装身具の構成を説明するための斜視図で、図２は、図１に示した刺激発生器を説明するためのブロック図である。
【００２８】
図１及び図２を参照すると、本発明の一実施形態に係る鋸歯状の波形を用いる波動提供装身具は、刺激発生器１１０、第１装飾部材１２０及び着用部材１３０を含む。
【００２９】
刺激発生器１１０は、鋸歯状の波長を有する微細電流を出力する。一例として、刺激発生器１１０は、電源スイッチ１１１１を備えるケース１１１、制御モジュール１１２及びバッテリー１１３を含むことができる。
【００３０】
ケース１１１は、所定の形状に備えることができる。例えば、ケース１１１は、直方体の形状に備えることができる。ケース１１１の外部には電源スイッチ１１１１を備えることができる。電源スイッチ１１１１は制御モジュール１１２と電気的に連結される。
【００３１】
制御モジュール１１２は、鋸歯状の波長を生成する。一例として、制御モジュール１１２は、鋸歯状波発生部１１２１及び制御部１１２２を含むことができる。鋸歯状波発生部１１２１は、周波数を発生させ、周波数の出力波形が鋸歯状波として発生するように構成され得る。制御部１１２２は、鋸歯状波発生部１１２１を制御することができる。すなわち、制御部１１２２は、バッテリー１１３から電源が供給されると、電源を鋸歯状波発生部１１２１に伝達し、鋸歯状波発生部１１２１を制御することによって、周波数の出力波形が鋸歯状波として発生するように構成され得る。
【００３２】
バッテリー１１３は、ケース１１１の内部に備えることができ、制御モジュール１１２と電気的に連結されることによって、電源スイッチ１１１１がオン（ＯＮ）に設定されると制御モジュール１１２に電源を供給する。
【００３３】
第１装飾部材１２０は、金属類のプレート又はハウジングの形態に備えることができる。例えば、第１装飾部材１２０は、金又は銀が蒸着されたプレートの形態に備えることができる。プレートは、装飾のために多様な形状に形成することができ、プレートの表面の一部分には装飾のための装飾用模様が刻印され得る。
【００３４】
このような第１装飾部材１２０には、その一面に刺激発生器１１０が固定され、刺激発生器１１０と電気的に連結されることによって、刺激発生器１１０で生成された鋸歯状の波長を有する微細電流が印加される。
【００３５】
ここで、第１装飾部材１２０と刺激発生器１１０との電気的な連結形態には特別な制限がなく、例えば、第１装飾部材１２０と刺激発生器１１０とが互いに接する面を介して電気的に連結されるように刺激発生器１１０のケース１１１の一面に接続端子（図示せず）が突出し、接続端子が第１装飾部材１２０の一面と接するように刺激発生器１１０が第１装飾部材１２０上に固定され得る。
【００３６】
着用部材１３０は、第１装飾部材１２０をユーザーの身体に着用させる。着用部材１３０は、手首、首及び足首のうちいずれか一つに着用可能な金属類のリング状に備えることができる。例えば、着用部材１３０は、ユーザーの首に着用可能な大きさで備えることができる。着用部材１３０は、第１装飾部材１２０に印加された微細電流が印加されるように第１装飾部材１２０に連結される。一例として、着用部材１３０と第１装飾部材１２０との連結時、第１装飾部材１２０の上端部に金属類の連結リング１２１を備えることによって、連結リング１２１を介して着用部材１３０と第１装飾部材１２０とが連結され得る。
【００３７】
以下では、このような本発明の一実施形態に係る鋸歯状の波形を用いる波動提供装身具の使用状態及び作動状態を説明する。
【００３８】
ユーザーは、着用部材１３０を通じて、本発明の一実施形態に係る鋸歯状の波形を用いる波動提供装身具を首にかけて着用することができる。
【００３９】
ユーザーは、波動提供装身具を首に着用した状態で刺激発生器１１０を作動させる。すなわち、ユーザーは、電源スイッチ１１１１をオン（ＯＮ）にすることによって刺激発生器１１０を作動させる。刺激発生器１１０の作動が開始されると、制御部１１２２は、電源を鋸歯状波発生部１１２１に伝達し、鋸歯状波発生部１１２１を制御することによって、鋸歯状波発生部１１２１が周波数を生成し、生成された周波数の出力波形が鋸歯状波として発生して出力されるようにする。
【００４０】
鋸歯状波の出力波形は第１装飾部材１２０に印加され、第１装飾部材１２０は微細電流を出力する。また、第１装飾部材１２０に印加された微細電流は着用部材１３０に伝達され、着用部材１３０にも微細電流が印加される。第１装飾部材１２０及び着用部材１３０に印加された微細電流は、ユーザーの身体、すなわち、ユーザーの上体に伝達され得る。
【００４１】
このような本発明の一実施形態に係る鋸歯状の波形を用いる波動提供装身具は、刺激発生器１１０を介して発生する出力波形が鋸歯状波として生成されるので、４５ｋｈｚの周波数の最小電流量を使用するようになり、これによって人体に超微細電流を伝達し、最小化された電気刺激のみでもマッサージ効果、血液循環緩和、ストレス緩和などの治療効果及び健康増進効果を発揮できるという利点がある。
【００４２】
また、４５ｋｈｚの周波数の最小電流量を使用することによって使用電流量が最小化されるので、刺激発生器１１０の大きさを最小化することができ、これによって刺激発生器１１０が小型化され、小型の装身具に装着が可能であり、身体の一部分に容易に着用することによって、装飾効果、健康増進及び治療効果を発揮できるという利点がある。
【００４３】
図３は、本発明の他の実施形態に係る鋸歯状の波形を用いる波動提供装身具を説明するための斜視図である。
【００４４】
図３を参照すると、本発明の他の実施形態に係る鋸歯状の波形を用いる波動提供装身具は、刺激発生器２１０、第１装飾部材２２０、着用部材２３０、繊維リング２４０、第２装飾部材２５０、及び複数の電流伝達部材２６０を含むことができる。
【００４５】
刺激発生器２１０、第１装飾部材２２０及び着用部材２３０は、図１を参照して説明した本発明の一実施形態に係る鋸歯状の波形を用いる波動提供装身具の刺激発生器１１０、第１装飾部材１２０及び着用部材１３０と同一であるので、これについての具体的な説明は省略する。
【００４６】
繊維リング２４０は、手首、首及び足首のうちいずれか一つに着用可能なリング状に備えられ、第１装飾部材２２０の一側に連結される。一例として、繊維リング２４０は、第１装飾部材２２０の上端部に備えられた連結リング２２１に締結されることによって第１装飾部材２２０と連結され得る。このような繊維リング２４０は電気伝導性繊維からなり、刺激発生器２１０から第１装飾部材２２０に印加された微細電流が繊維リング２４０に印加される。
【００４７】
ここで、電気伝導性繊維は、銅や白金などの伝導性に優れた素材を細線で構成して得た導電糸と繊維糸とが合糸された形態であってもよく、又は、銅とアクリルとをイオン結合して製造された繊維であってもよい。
【００４８】
第２装飾部材２５０は、繊維リング２４０を取り囲んでおり、非伝導性の樹脂材質からなり、例えば、シリコーン材質からなり得る。第２装飾部材２５０の表面には、第１装飾部材２２０と共に追加的な装飾効果が与えられるように蛍光物質が塗布され得る。蛍光物質は、第２装飾部材２５０の外面に所定の模様を形成するように第２装飾部材２５０の表面に塗布され、例えば、ハート形状に塗布され得る。
【００４９】
複数の電流伝達部材２６０は、繊維リング２４０の電気伝導性繊維に印加された微細電流を第２装飾部材２５０の外部に出力する。複数の電流伝達部材２６０は柱状に備えられ、柱状の一端部は繊維リング２４０の面に接し、この一端部には電気伝導性繊維に印加された微細電流が印加され、他端部は、第２装飾部材２５０を貫通して第２装飾部材２５０の外部に露出する。このような複数の電流伝達部材２６０は、繊維リング２４０及び第２装飾部材２５０の円周方向に沿って一定間隔で配列される。
【００５０】
以下では、このような本発明の他の実施形態に係る鋸歯状の波形を用いる波動提供装身具の使用状態及び作動状態を説明する。
【００５１】
ユーザーは、着用部材２３０及び繊維リング２４０を取り囲む第２装飾部材２５０を通じて、本発明の他の実施形態に係る鋸歯状の波形を用いる波動提供装身具を首にかけて着用することができる。このとき、第２装飾部材２５０を貫通して第２装飾部材２５０の外部に露出した複数の電流伝達部材２６０は着用者の首の周辺の皮膚に接触する。
【００５２】
ユーザーは、波動提供装身具を首に着用した状態で刺激発生器２１０を作動させる。刺激発生器２１０が作動して微細電流を出力する過程は、本発明の一実施形態で説明した刺激発生器１１０が微細電流を出力する過程と同一であるので、それについての具体的な説明は省略する。
【００５３】
刺激発生器２１０から出力される鋸歯状波の出力波形は、第１装飾部材２２０に印加され、第１装飾部材２２０は微細電流を出力する。また、第１装飾部材２２０に印加された微細電流は、着用部材２３０及び繊維リング２４０にも印加される。繊維リング２４０に印加された微細電流は、繊維リング２４０の面と接して連結されている複数の電流伝達部材２６０のそれぞれに印加される。よって、第１装飾部材２２０、着用部材２３０及び複数の電流伝達部材２６０は、微細電流をユーザーの身体、すなわち、ユーザーの上体に伝達するようになる。
【００５４】
一方、第２装飾部材２５０の表面に所定の模様に塗布された蛍光物質は、昼間にはその模様自体で第２装飾部材２５０を美しくさせ、夜間には蛍光物質の発光によって第２装飾部材２５０をさらに美しくさせる。
【００５５】
このような本発明の他の実施形態に係る鋸歯状の波形を用いる波動提供装身具は、所定の模様に蛍光物質が塗布されている第２装飾部材２５０によって外観がさらに美しくなり、複数の電流伝達部材２６０によって追加的に微細電流を身体に伝達するので、マッサージ効果及び治療効果が増大し得るという利点がある。
【００５６】
図４及び図５は、本発明の鋸歯状の波形を用いる波動提供装身具の一実施形態を例示する図である。
【００５７】
図４に示したように、刺激発生器１１０を金属材質のネックレスのチェーンに直接連結して構成してもよく、図５に示したように、刺激発生器１１０を金属材質の時計の手首バンドに直接連結して構成してもよい。
【００５８】
一方、本発明の各実施形態に係る鋸歯状の波形を用いる波動提供装身具の着用部材１３０、２３０は、呼吸器系疾患治療などの機能を有する芳香剤物質がコーティングされることによって、ユーザーの疲労回復及び健康増進などに効果を示す。
【００５９】
前記芳香剤物質には機能性オイルが混合され得る。その混合比率は、芳香剤９５重量％〜９７重量％に機能性オイル３重量％〜５重量％が混合され、機能性オイルは、ヘリクリサムオイル（Ｈｅｌｉｃｈｒｙｓｕｍ  ｏｉｌ）５０重量％及びパチョリオイル（Ｐａｔｃｈｏｕｌｉ  ｏｉｌ）５０重量％からなる。
【００６０】
ここで、機能性オイルは、芳香剤に対して３重量％〜５重量％が混合されることが好ましい。機能性オイルの混合比率が３重量％未満であると、その効果が微々たるものとなり、機能性オイルの混合比率が５重量％を超えると、その機能が大きく向上しない一方、製造単価は大きく増加する。
【００６１】
機能性オイルのうちヘリクリサムオイルは、主な化学要素としてネロール（ｎｅｒｏｌ）、ゲラニオール（ｇｅｒａｎｉｏｌ）、リナロール（ｌｉｎａｌｏｌ）などを挙げることができ、抗菌、抗バクテリア、防腐、抗アレルギー、抗炎症などに良いという効果を有する。
【００６２】
パチョリオイルは、主な化学成分としてパチョレン（ｐａｔｃｈｏｕｌｅｎｅ）、オイゲノール（ｅｕｇｅｎｏｌ）、カルボン（ｃａｒｖｏｎｅ）などを挙げることができ、殺菌、防腐、抗鬱、皮膚炎症の治療などに優れた作用効果を有する。
【００６３】
このような機能性オイルが着用部材１３０、２３０にコーティングされることによって、本発明の鋸歯状の波形を用いる波動提供装身具は、ユーザーの疲労回復、健康増進などに寄与する役割をすることができる。
【００６４】
一方、本発明の各実施形態に係る鋸歯状の波形を用いる波動提供装身具の刺激発生器１１０、２１０のケースの外面には、汚染物質の付着防止及び除去を効果的に達成できるように汚染防止塗布用組成物が塗布された塗布層が形成され得る。前記汚染防止塗布用組成物は、過酸化水素及びメタケイ酸ナトリウムが１：０．０１〜１：２のモル比で含まれており、過酸化水素及びメタケイ酸ナトリウムの総含量は全体の水溶液に対して１重量％〜１０重量％である。これに加えて、前記塗布層の塗布性を向上させる物質としては、メタケイ酸ナトリウム又は炭酸カルシウムが利用可能であるが、好ましくは、メタケイ酸ナトリウムが利用可能である。前記過酸化水素及びメタケイ酸ナトリウムは、モル比として１：０．０１〜１：２が好ましいが、モル比が前記範囲を逸脱する場合は、基材の塗布性が低下したり、塗布後の表面の水分吸着が増加し、塗布膜が除去されるという問題がある。
【００６５】
前記過酸化水素及びメタケイ酸ナトリウムは、全体の組成物の水溶液中の１重量％〜１０重量％であることが好ましいが、１重量％未満であると、基材の塗布性が低下するという問題があり、１０重量％を超えると、塗布膜の厚さの増加による結晶析出が発生しやすい。
【００６６】
前記汚染防止塗布用組成物を基材上に塗布する方法としてはスプレー法が好ましい。また、前記基材上の最終塗布膜の厚さは５００Å〜２０００Åであることが好ましく、より好ましくは１０００Å〜２０００Åである。前記塗布膜の厚さが５００Å未満であると、高温熱処理の場合に劣化するという問題があり、前記塗布膜の厚さが２０００Åを超えると、塗布表面の結晶析出が発生しやすいという短所がある。
【００６７】
また、汚染防止塗布用組成物は、過酸化水素０．１モル及びメタケイ酸ナトリウム０．０５モルを蒸溜水１０００ｍｌに添加した後、これを撹拌することによって製造され得る。
【００６８】
一方、本発明の各実施形態に係る鋸歯状の波形を用いる波動提供装身具の制御モジュール１１２には、温度によって色が変化する変色部が塗布され得る。例えば、制御モジュール１１２を構成する基板上に前記変色部が塗布され得る。この変色部は、所定の温度以上になったときに色が変わる二つ以上の温度変色物質が制御モジュール１１２に塗布され、温度変化によって二つ以上の区間に分離されることによって段階的な温度変化を判断することができ、変色部上には、変色部が損傷することを防止するための保護膜層が塗布される。
【００６９】
ここで、変色部は、それぞれ４０℃以上及び６０℃以上の変色温度を有する温度変色物質を塗布することによって形成され得る。変色部は、制御モジュール１１２の温度によって色が変化し、塗料の温度変化を感知するためのものである。
【００７０】
このような変色部は、所定の温度以上になったときに色が変わる温度変色物質が制御モジュール１１２に塗布されることによって形成され得る。また、温度変色物質は、一般に１μｍ〜１０μｍのマイクロカプセル構造で構成されており、マイクロカプセル内の電子供与体及び電子受容体の温度による結合及び分離現象によって有色及び透明色を示すように構成され得る。
【００７１】
また、温度変色物質は、色の変化が速く、４０℃、６０℃、７０℃、８０℃などの多様な変色温度を有することができ、このような変色温度は多くの方法で容易に調整され得る。このような温度変色物質としては、有機化合物の分子再配列、原子団の空間再配置などの原理による多様な種類の温度変色物質が利用可能である。
【００７２】
このために、変色部は、互いに異なる変色温度を有する二つ以上の温度変色物質を塗布し、温度変化によって二つ以上の区間に分離されるように形成されることが好ましい。この温度変色層は、相対的に低温の変色温度を有する温度変色物質、及び相対的に高温の変色温度を有する温度変色物質を用いて形成することが好ましく、さらに好ましくは、４０℃以上及び６０℃以上の変色温度を有する温度変色物質を用いて変色部を形成することができる。
【００７３】
これを通じて、制御モジュール１１２の温度変化を段階的に確認することができ、塗料の温度変化を感知することができる。その結果、制御モジュール１１２を最適な状態で運用することができ、過熱による制御モジュール１１２の損傷を未然に防止することができる。
【００７４】
また、保護膜層は、変色部上に塗布され、外部の衝撃によって変色部が損傷することを防止し、変色部の変色有無を容易に確認すると同時に、温度変色物質が熱に弱いことを考慮した上で、断熱効果を有する透明塗布材を用いて形成することが好ましい。
【００７５】
以上で提示した各実施形態に対する説明は、任意の本発明の技術分野で通常の知識を有する者が本発明を利用又は実施できるように提供される。これらの各実施形態に対する多様な変形は、本発明の技術分野で通常の知識を有する者にとって明白であり、ここに定義された一般的な原理は、本発明の範囲を逸脱しない範囲で他の実施形態に適用可能である。そのため、本発明は、ここに提示した各実施形態に限定されるものではなく、ここに提示した各原理及び新規の特徴と一貫する最広義の範囲で解釈すべきであろう。
【図１】
2020515376.tif 000003
【図２】
2020515376.tif 000004
【図３】
2020515376.tif 000005
【図４】
2020515376.tif 000006
【図５】
2020515376.tif 000007
【国際調査報告】
2020515376.tif 000008
2020515376.tif 000009
2020515376.tif 000010
2020515376.tif 000011